【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
糖尿病を監視すると共に治療するための統合システムであって、
ホストのブドウ糖を、１時間を上回る期間の間、実質的に連続して測定すると共に、１つ以上のセンサデータポイントを含むデータストリームを出力するブドウ糖センサと、
前記ブドウ糖センサに動作可能に接続されると共に、前記データストリームを受信するように構成される受信機と、
前記受信機に物理的に取り外し可能に接続できる薬物投与装置と
を備えることを特徴とする統合システム。
【請求項２】
前記ブドウ糖センサが、埋め込み型ブドウ糖センサを含む
ことを特徴とする請求項１に記載の統合システム。
【請求項３】
前記ブドウ糖センサが、持続的な皮下埋め込み型ブドウ糖センサを含む
ことを特徴とする請求項１に記載の統合システム。
【請求項４】
前記薬物投与装置が、前記受信機に取り外し可能に接続される注射器を含む
ことを特徴とする請求項１に記載の統合システム。
【請求項５】
前記薬物投与装置が、前記受信機に取り外し可能に接続される１つ以上の経皮貼布を含む
ことを特徴とする請求項１に記載の統合システム。
【請求項６】
前記薬物投与装置が、前記受信機に取り外し可能に接続される、吸入器型投与装置または噴霧器型投与装置を含む
ことを特徴とする請求項１に記載の統合システム。
【請求項７】
前記薬物投与装置が、前記受信機に取り外し可能に接続される、ペン型の注入器またはノズル型の注入器を含む
ことを特徴とする請求項１に記載の統合システム。
【請求項８】
前記薬物投与装置が、経皮性のポンプを含む
ことを特徴とする請求項１に記載の統合システム。
【請求項９】
前記薬物投与装置が、埋め込み型のポンプを含む
ことを特徴とする請求項１に記載の統合システム。
【請求項１０】
前記薬物投与装置が、手動の埋め込み型ポンプを含む
ことを特徴とする請求項１に記載の統合システム。
【請求項１１】
糖尿病を監視すると共に治療するための統合システムであって、
ホストのブドウ糖を、１時間を上回る期間の間、実質的に連続して測定すると共に、１つ以上のセンサデータポイントを含むデータストリームを出力するブドウ糖センサと、
前記ブドウ糖センサに動作可能に接続されると共に、前記データストリームを受信するように構成される受信機と、
セル移植装置を含む薬物投与装置と、
セルの投与または放出に実質的に対応するセンサデータポイントを評価することによって、セル移植に対するホストの代謝反応を判定するように構成されるプログラミングを有するプロセッサと
を備えることを特徴とする統合システム。
【請求項１２】
前記薬物投与装置が、無線接続によって前記受信機に動作可能に接続できる
ことを特徴とする請求項１に記載の統合システム。
【請求項１３】
前記薬物投与装置が、有線接続によって前記受信機に動作可能に接続できる
ことを特徴とする請求項１に記載の統合システム。
【請求項１４】
糖尿病を監視すると共に治療するための統合システムであって、
ホストのブドウ糖を、１時間を上回る期間の間、実質的に連続して測定すると共に、１つ以上のセンサデータポイントを含むデータストリームを出力するブドウ糖センサと、
前記ブドウ糖センサに動作可能に接続されると共に、前記データストリームを受信するように構成される受信機と、
前記受信機に物理的に接続できる装置及び前記受信機に動作可能に接続できる装置の内の少なくとも１つである薬物投与装置と、
前記受信機に統合化される単一点ブドウ糖モニタと
を備えることを特徴とする統合システム。
【請求項１５】
前記ブドウ糖センサが、ブドウ糖の電気化学検出のために酵素膜系を備えると共に、
前記単一点ブドウ糖モニタが、ブドウ糖の電気化学検出のために酵素膜系を備える
ことを特徴とする請求項１４に記載の統合システム。
【請求項１６】
糖尿病を監視すると共に治療するための統合システムであって、
ホストのブドウ糖を、１時間を上回る期間の間、実質的に連続して測定すると共に、１つ以上のセンサデータポイントを含むデータストリームを出力するブドウ糖センサと、
前記ブドウ糖センサに動作可能に接続されると共に、前記データストリームを受信するように構成される受信機と、
前記受信機に物理的に接続できる装置及び前記受信機に動作可能に接続できる装置の内の少なくとも１つである薬物投与装置とを備え、
前記受信機が、プロセッサを備えると共に、
前記プロセッサが、薬物投与命令を計算して出力するように構成されるプログラミングを有し、
前記プロセッサが、前記薬物投与命令を出力する前に前記薬物投与命令を検証するように構成されるプログラミングを有する検証モジュールを更に備える
ことを特徴とする統合システム。
【請求項１７】
糖尿病を監視すると共に治療するための統合システムであって、
ホストのブドウ糖を、１時間を上回る期間の間、実質的に連続して測定すると共に、１つ以上のセンサデータポイントを含むデータストリームを出力するブドウ糖センサと、
前記ブドウ糖センサに動作可能に接続されると共に、前記データストリームを受信するように構成される受信機と、
前記受信機に物理的に接続できる装置及び前記受信機に動作可能に接続できる装置の内の少なくとも１つである薬物投与装置とを備え、
前記受信機が、第１の期間の間、薬物投与に対応する薬物投与データを、前記薬物投与装置から受信するように構成されると共に、
前記受信機が、プロセッサを備え、
前記プロセッサが、第１の期間の間、薬物投与の投与または放出に実質的に対応するセンサデータポイントを評価することによって、前記薬物投与に対するホストの代謝反応を判定するように構成されるプログラミングを有する
ことを特徴とする統合システム。
【請求項１８】
前記プロセッサが、第２の期間の間、前記センサデータ及び前記薬物投与に対するホストの代謝反応に対応する薬物療法を計算するように構成されるプログラミングを有する
ことを特徴とする請求項１７に記載の統合システム。
【請求項１９】
前記プロセッサが、前記ブドウ糖センサデータ及び前記ホストの代謝反応に対応するブドウ糖値を推定するためのプログラミングを有する
ことを特徴とする請求項１７に記載の統合システム。
【請求項２０】
前記セル移植装置が、β膵島細胞を有する
ことを特徴とする請求項１１に記載の統合システム。
【請求項２１】
前記受信機が、前記セル移植装置に関する情報を格納するように構成されるプロセッサを備えると共に、
前記情報が、
１）前記セル移植装置の埋め込みの時間；
２）前記セル移植装置内で移植されたセルの量；及び
３）前記セル移植装置内で移植されたセルの種類；
の情報の内の少なくとも１つを含む
ことを特徴とする請求項１１に記載の統合システム。
【請求項２２】
前記受信機が、プロセッサを備えると共に、
前記プロセッサが、その間前記セル移植装置がホストに埋め込まれている時間に実質的に対応するセンサデータポイントを評価することによって、前記セル移植装置に対するホストの代謝反応を判定するように構成されるプログラミングを有する
ことを特徴とする請求項１１に記載の統合システム。
【請求項２３】
前記単一点ブドウ糖モニタが、前記受信機に取り外し可能に接続できる
ことを特徴とする請求項１４に記載の統合システム。
【請求項２４】
前記単一点ブドウ糖モニタが、有線接続によって前記受信機に動作可能に接続できる
ことを特徴とする請求項１４に記載の統合システム。
【請求項２５】
前記単一点ブドウ糖モニタが、無線接続によって前記受信機に動作可能に接続できる
ことを特徴とする請求項１４に記載の統合システム。
【請求項２６】
前記薬物投与命令を検証するように構成されるプログラミングを有する前記検証モジュールが、前記受信機に入力されたデータ及び統合化された単一点ブドウ糖モニタから取得されたデータの内の少なくとも１つに対応する薬物投与命令を検証するように構成される
ことを特徴とする請求項１６に記載の統合システム。
【請求項２７】
前記薬物投与装置が、吸入器型投与装置、噴霧器型投与装置、ペン型の注入器、ノズル型の注入器、経皮性のポンプ、及び埋め込み型のポンプの内の少なくとも１つを含む
ことを特徴とする請求項１６に記載の統合システム。
【請求項２８】
前記プロセッサが、前記センサーデータの加速率または減速率が所定のしきい値以下である場合に、自動的に検証モジュールのプログラミングを実行するように構成されるプログラミングを有する
ことを特徴とする請求項１６に記載の統合システム。
【請求項２９】
前記プロセッサが、前記センサーデータの変化率が所定のしきい値以下である場合に、自動的に検証モジュールのプログラミングを実行するように構成されるプログラミングを有する
ことを特徴とする請求項１６に記載の統合システム。
【請求項３０】
前記検証モジュールが、情報を要求するように構成されるプログラミングを有すると共に、
要求される前記情報が、時間帯、食事、食事時間、規則的な薬物投与、睡眠、カロリー、糖質、運動、及び病気の情報の内の少なくとも１つを含む
ことを特徴とする請求項１６に記載の統合システム。
【請求項３１】
前記薬物投与に対するホストの代謝反応を判定するように構成されるプログラミングが、パターン認識アルゴリズムを含む
ことを特徴とする請求項１７に記載の統合システム。
【請求項３２】
前記薬物投与に対するホストの代謝反応を判定するように構成されるプログラミングが、薬物投与の時間、薬物投与の量、及び薬物の種類の内の少なくとも１つを含む入力情報を利用する
ことを特徴とする請求項１７に記載の統合システム。
【請求項３３】
前記薬物投与に対するホストの代謝反応を判定するように構成されるプログラミングが、所定の間隔で繰り返されるように、前記プロセッサにおいてプログラムされる
ことを特徴とする請求項１７に記載の統合システム。
【請求項３４】
前記薬物投与に対するホストの代謝反応を判定するように構成されるプログラミングが、ユーザ入力によって始動されるように、前記プロセッサにおいてプログラムされる
ことを特徴とする請求項１７に記載の統合システム。
【請求項３５】
前記薬物投与に対するホストの代謝反応を判定するように構成されるプログラミングが、所定の起動時間期間の間繰り返されるように、前記プロセッサにおいてプログラムされる
ことを特徴とする請求項１７に記載の統合システム。